(57)【要約】【課題】  鍵の施錠の有無を後から容易かつ正確に確認することができるキーヘッドを提供する。  【解決手段】  スイッチ体１０と、表示部１３と、制御部とがケーシング２に設けられ、スイッチ体１０は、ケーシング２の表裏面に露出しており、前記制御部は、スイッチ体１０の挟持により生成される施錠信号を検出して表示部１３に施錠確認情報を表示するキーヘッド。  【選択図】  図１
2005213967.tif 000002
【特許請求の範囲】
【請求項１】
スイッチ体と、表示部と、制御部とがケーシングに設けられ、
前記スイッチ体は、前記ケーシングの表裏面に露出しており、
前記制御部は、前記スイッチ体の挟持により生成される施錠信号を検出して前記表示部に施錠確認情報を表示するキーヘッド。
【請求項２】
前記施錠確認情報は、前記制御部が前記施錠信号を検出した日付または時刻の少なくともいずれか一方を含む情報である請求項１に記載のキーヘッド。
【発明の詳細な説明】
【技術分野】
【０００１】
本発明は、キーヘッドに関する。
【背景技術】
【０００２】
家屋の戸締まり、自動車のドアの施錠等に鍵が用いられており、鍵の把持部にはキーヘッドを用いるのが一般的である。外出の際には、玄関等のドアの鍵穴に鍵を差し込んで所定方向に回転させて施錠した後、鍵を抜き出しポケット等に入れ出発する。このとき、無意識に鍵を施錠する場合も多く、外出先で鍵をかけたか否かはっきりせず、不安となる場合がある。
【０００３】
そこで、特許文献１には、鍵穴内に保管される保管部と持ち運びする携帯部とに分割されており、保管部と携帯部が係脱手段によって一体となっている鍵が開示されている。これによれば、鍵を施錠した後、係脱手段を解除することにより、鍵穴内部に保管部が切り離されて残るので、鍵を施錠したか否か不安なときには、鍵の状態を見れば鍵がかかっているか否かを確認し得るというものである。
【０００４】
また、特許文献２には、鍵先近傍に設けられたスイッチ、光源、ブザーにより構成されているキーヘッドが開示されている。これは、施錠時にドアノブによってスイッチが押され、瞬間的に光と音を発することにより、施錠者に鍵をかけたことを記憶に留めさせることを目的とするものである。
【特許文献１】実開平６−４５０１９号公報
【特許文献２】特開平８−２８４４９６号公報
【発明の開示】
【発明が解決しようとする課題】
【０００５】
ところが、上記特許文献１に開示された鍵は、施錠後に携帯部を分割しなければ、外出先で施錠の有無を確認できないため、係脱手段の解除動作を意識的に行う必要がある。しかし、無意識のうちに施錠行為を行う場合も多く、係脱手段の解除動作を忘れてしまうと、単に鍵の分割行為を忘れただけなのか、あるいは、鍵を施錠すること自体を忘れたのか不明になり、鍵を施錠したことを正確に確認することができないという問題があった。
【０００６】
また、上記特許文献２に開示されたキーヘッドは、施錠時に光と音を瞬間的に発し、鍵がかかったことを認識できるものであるが、外出後に鍵をかけたか否かを確認することはできず、その記憶の曖昧さから鍵を施錠したか否かが不明となるという問題があった。更に、集合住宅などにおいては、施錠時に発せられる音によって第三者に迷惑をかけたり、外出したことが第三者に知られることとなり防犯上好ましくないという問題があった。
【０００７】
これらの鍵やキーヘッドでは、結局、鍵をかけたか否か不明となり、施錠を確認するために玄関先や車のある所にまで戻る必要が生じ、時間的・労力的負担の解消が図られるとはいえない。
【０００８】
本発明は、このような問題を解決すべくなされたものであって、鍵の施錠の有無を後から容易かつ正確に確認することができるキーヘッドの提供を目的とする。
【課題を解決するための手段】
【０００９】
本発明の前記目的は、スイッチ体と、表示部と、制御部とがケーシングに設けられ、前記スイッチ体は、前記ケーシングの表裏面に露出しており、前記制御部は、前記スイッチ体の挟持により生成される施錠信号を検出して前記表示部に施錠確認情報を表示するキーヘッドにより達成できる。
【００１０】
このキーヘッドにおいて、前記施錠確認情報は、前記制御部が前記施錠信号を検出した日付または時刻の少なくともいずれか一方を含む情報であることが好ましい。
【発明の効果】
【００１１】
本発明によれば、鍵の施錠の有無を後から容易かつ正確に確認することができるキーヘッドを提供することができる。
【発明を実施するための最良の形態】
【００１２】
以下、本発明の実施形態について添付図面を参照して説明する。図１は、本発明の一実施形態にかかるキーヘッドを示す（ａ）平面図および（ｂ）側面図である。図１に示すように、キーヘッド１は、鍵に対して、鍵頭をケーシング２の内部に固定し、鍵先３を外部に突出させるように取り付けられる。ケーシング２には、スイッチ体１０と表示部１３とが設けられている。
【００１３】
スイッチ体１０は、一対のスイッチ板１１，１２がケーシング２の表裏面にそれぞれ露出するように配置されており、施錠者が、施錠の際にスイッチ１１，１２を確実に摘めるような配置及び大きさとすることが好ましい。このスイッチ体１０は、スイッチ板１１，１２の両方を同時に触れた場合にオンとなるタッチセンサー形式のスイッチであり、本実施形態では、人体がスイッチ１１，１２の両方に同時に触れた場合に導通が生じ、微少電流が流れて施錠信号を生成することができるタッチスイッチを用いている。
【００１４】
また、表示部１３は、ケーシング２の一方面に設けられており、施錠を確認するための施錠確認情報を表示する。表示部１３としては、例えば液晶表示装置や発光パネル等を用いることができる。
【００１５】
図２は、本発明のキーヘッド１の概略構成を示すブロック図である。図２に示すように、キーヘッド１は、スイッチ体１０及び表示部１３に加えて、制御部１４とメモリー１５とを備えており、制御部１４はタイマー機能を備えている。
【００１６】
次に、以上の構成を備えたキーヘッド１の作動を説明する。鍵の施錠操作を行う場合、施錠者は、鍵を備えたケーシング２の表裏面を挟持し、鍵穴に鍵先３を差し込み一定方向へ回転させる。この際、ケーシング２に設けられたスイッチ１１，１２の両方に同時に触れるため施錠信号が生成される。制御部１４は、この施錠信号を検出して、施錠時の時刻を抽出し、この時刻を施錠確認情報としてメモリー１５に記憶させると共に、表示部１３に表示する。なお、施錠確認情報として、時刻に加えて施錠時の日付や曜日を表示部１３に表示してもよい。この施錠確認情報表示は、継続して行われ、施錠信号が再度生成されることにより更新される。
【００１７】
以上のように、本実施形態によれば、鍵の使用者が、ケーシング２を挟持することにより表示部１３に施錠確認情報が表示されるため、無意識のうちに施錠操作を行った場合でも、鍵の施錠の有無を表示内容に基づいて、後から容易かつ正確に確認できる。また、スイッチ１１，１２の両方を同時に触れなければ、制御部１４は施錠信号を検出しないため、施錠確認情報の誤表示を有効に防止することができる。
【００１８】
更に、施錠確認情報として、施錠時刻を表示部１３に表示させることにより、表示部１３に表示される施錠時刻と、実際に外出等したと思われるおおよその時刻とを比較することができる。これにより、表示部１３に表示された時刻が、施錠操作を行った時刻であるか否かを判別することが可能となるため、施錠の有無をより正確に確認することができる。
【００１９】
また、本実施形態においては、施錠確認情報として音を用いないので、集合住宅などにおいて、音によって第三者に迷惑をかけることがなく、更に、外出したことが第三者に知られることもないので、防犯上の問題を回避することができる。
【００２０】
本実施形態においては、制御部１４は、施錠信号が生成された瞬間に施錠確認情報を表示部１３に表示する構成にしているが、施錠信号が一定時間（例えば１秒間）継続して発せられた場合に、制御部１４が、施錠確認情報を表示部１３に表示する構成としてもよい。これにより、瞬間的な施錠信号によって、表示部１３に施錠確認情報が表示されることがなく、施錠確認情報の誤表示をより効果的に防止することができる。
【００２１】
また、本実施形態においては、スイッチ体１０としてタッチスイッチを用いているが、スイッチ体１０の把持により施錠信号を生成可能な構成であれば特に限定されず、例えば、歪みを与えると電圧を発生する圧電素子を利用する構成としてもよい。すなわち、スイッチ１１，１２を挟持する圧力によって圧電素子に歪みが生じ、電圧が発生するが、この電圧信号を施錠信号とするものである。
【００２２】
また、本実施形態において、例えば、一方のスイッチ１１に触れるごとに、過去の施錠時刻の履歴データを最新のデータから順次過去のデータに遡って表示部１３に表示するようにしてもよい。更に、この場合、他方のスイッチ１２に触れるごとに、一つ新しい履歴データを表示部１３に表示するようにしてもよい。これにより、施錠者が、過去における施錠の有無について不安になった場合でも、表示部１３に表示される施錠時刻の履歴データを見ることにより容易に施錠の有無を確認でき、不安感を解消することができる。
【００２３】
また、本実施形態においては、表示部１３に施錠確認情報として施錠時の時刻を表示させているが、この時刻表示の代わりに、施錠確認情報として単に施錠の有無を示す二値的な情報を表示してもよい。すなわち、スイッチ体１０のオン又はオフによって表示部１３を点灯又は非点灯表示させることにより、施錠の有無を表示部１３の点灯状態により確認することができる。このような構成とすることにより、図３に示すように本実施形態からメモリー１５を排除でき、また、発光ダイオードや発光素子等の単純な構造の発光体等を表示部１３に用いることができるので、図２に示す実施形態に比して構造が単純となり、低コストで製造することができ、小型軽量化を図ることができるという利点を有する。
【００２４】
【図面の簡単な説明】
【００２５】
【図１】本発明の実施形態に係るキーヘッドを示す（ａ）平面図および（ｂ）側面図である。
【図２】図１に示すキーヘッドの概略構成を示すブロック図である。
【図３】図１に示すキーヘッドの変形例のブロック図である。
【符号の説明】
【００２６】
１  キーヘッド
２  ケーシング
３  鍵先
１０  スイッチ体
１１  スイッチ板
１２  スイッチ板
１３  表示部
１４  制御部
１５  メモリー
【図１】
2005213967.tif 000003
【図２】
2005213967.tif 000004
【図３】
2005213967.tif 000005